(57)【要約】【課題】現在受信中の放送プログラムの視聴中に、既に保存され又は録画された放送プログラムを再生できる方法及び移動通信端末機を提供する。また、放送プログラムを保存又は録画するにおいて、メモリ空間を効率的に活用できる方法及び移動通信端末機をも提供する。【解決手段】現在受信中の放送ストリームを、複数のタイムセクションのうち少なくとも一つのタイムセクションに割り当てて保存する割り当て及び保存段階と、前記受信中の放送ストリームを前記少なくとも一つのタイムセクションに割り当てて保存している時に、前記複数のタイムセクションから少なくとも一つのタイムセクションが選択されると、該選択されたタイムセクションに割り当てられて保存された放送ストリームを再生する再生段階と、を含んで構成されたことを特徴とする。【選択図】図１
2007129714.tif 000002
【特許請求の範囲】
【請求項１】
現在受信中の放送ストリームを、複数のタイムセクションのうち少なくとも一つのタイムセクションに割り当てて保存する割り当て及び保存段階と、
前記受信中の放送ストリームを前記少なくとも一つのタイムセクションに割り当てて保存している時に、前記複数のタイムセクションから少なくとも一つのタイムセクションが選択されると、該選択されたタイムセクションに割り当てられて保存された放送ストリームを再生する再生段階と、
を含んで構成されたことを特徴とする移動通信端末機の放送番組保存方法。
【請求項２】
前記割り当て及び保存段階は、
前記放送フレームを所定の時間間隔で前記タイムセクションに割り当てて保存することを特徴とする請求項１に記載の移動通信端末機の放送番組保存方法。
【請求項３】
前記割り当て及び保存段階は、
前記放送フレームを所定数のフレーム間隔で前記タイムセクションに割り当てて保存することを特徴とする請求項１に記載の移動通信端末機の放送番組保存方法。
【請求項４】
前記複数のタイムセクションを識別するインデックスを各タイムセクションに設定する段階をさらに含んで構成されたことを特徴とする請求項１に記載の移動通信端末機の放送番組保存方法。
【請求項５】
放送番組の受信中に、前記複数のタイムセクションに保存された各放送ストリームを検索又は再生するか、または、前記複数のタイムセクションに保存されたいずれかの放送ストリームの再生中に、他の放送ストリーム又は受信中の放送ストリームを検索又は再生するタイムシフティングモードを実行する段階をさらに含んで構成されたことを特徴とする請求項１に記載の移動通信端末機の放送番組保存方法。
【請求項６】
前記再生段階の遂行中に、使用者によって他のタイムセクションが選択され又は受信中の放送ストリームの再生が選択される段階をさらに含んで構成されたことを特徴とする請求項１に記載の移動通信端末機の放送番組保存方法。
【請求項７】
前記割り当て及び保存段階の遂行前に、受信する放送ストリームを保存する保存空間があるか否かを確認する確認段階と、
前記確認の結果、前記受信する放送ストリームを保存する空間がないと、前記複数のタイムセクションに保存された放送ストリームのうち少なくとも一つのタイムセクションに保存された放送ストリームを保存時間順に削除する段階と、
をさらに含んで構成されたことを特徴とする請求項１に記載の移動通信端末機の放送番組保存方法。
【請求項８】
前記タイムセクションに割り当てられて保存された放送ストリームは、複数のフレームを含んで構成され、
前記複数のフレームのうち最前及び最後のフレームは、Ｉ（intra-coded images）−フレームであり、残りのフレームは、Ｐ（Predictive-coded images）−フレームであることを特徴とする請求項１に記載の移動通信端末機の放送番組保存方法。
【請求項９】
前記再生段階の遂行中に、再生中の放送ストリームと受信中の放送ストリームとの同期化可否を判定する判定段階と、
前記判定段階で同期化されると判定されると、前記受信中の放送ストリームを再生する段階と、
をさらに含んで構成されたことを特徴とする請求項１に記載の移動通信端末機の放送番組保存方法。
【請求項１０】
前記判定段階は、
前記再生中の放送ストリームのフレームが最も最後に保存されたフレームであるか否かを判定することを特徴とする請求項９に記載の移動通信端末機の放送番組保存方法。
【請求項１１】
放送番組を構成する放送ストリームを受信する放送受信モジュールと、
前記放送受信モジュールを通して受信する放送ストリームを複数のタイムセクションのうち少なくとも一つのタイムセクションに割り当てて保存するメモリと、
前記複数のタイムセクションのうち少なくとも一つのタイムセクションを選択する選択信号を発生する入力部と、
前記選択信号によって選択されたタイムセクションに保存された放送ストリームを再生する制御部と、
を含んで構成されたことを特徴とする放送番組保存機能を有する移動通信端末機。
【請求項１２】
前記メモリは、
前記放送ストリームを所定の時間間隔で前記タイムセクションに割り当てて保存することを特徴とする請求項１１に記載の放送番組保存機能を有する移動通信端末機。
【請求項１３】
前記メモリは、
前記放送ストリームを所定数のフレーム間隔で前記タイムセクションに割り当てて保存することを特徴とする請求項１１に記載の放送番組保存機能を有する移動通信端末機。
【請求項１４】
前記複数のタイムセクションには、
それぞれを識別するインデックスが設定されることを特徴とする請求項１１に記載の放送番組保存機能を有する移動通信端末機。
【請求項１５】
前記入力部は、
タイムシフティングモードを実行するタイムシフティングモード実行信号を発生することを特徴とする請求項１１に記載の放送番組保存機能を有する移動通信端末機。
【請求項１６】
前記入力部は、
前記保存された放送ストリームが再生中の場合に、他のタイムセクションの選択信号または受信中の放送ストリームの再生信号を使用者の入力に応じて発生することを特徴とする請求項１１に記載の放送番組保存機能を有する移動通信端末機。
【請求項１７】
前記制御部は、
前記放送ストリームを保存する保存空間がない場合、前記複数のタイムセクションのうち少なくとも一つのタイムセクションに割り当てられて保存された放送ストリームを保存時間順に削除することを特徴とする請求項１１に記載の放送番組保存機能を有する移動通信端末機。
【請求項１８】
前記タイムセクションに保存された放送ストリームは、複数のフレームを含んで構成され、
前記複数のフレームのうち最前及び最後のフレームは、Ｉ（intra-coded images）−フレームであり、残りのフレームは、Ｐ（Predictive-coded images）−フレームであることを特徴とする請求項１１に記載の放送番組保存機能を有する移動通信端末機。
【請求項１９】
前記制御部は、
前記再生中の放送ストリームと受信中の放送ストリームとが同期化された場合、前記受信中の放送ストリームを再生することを特徴とする請求項１１に記載の放送番組保存機能を有する移動通信端末機。
【請求項２０】
前記制御部は、
前記再生中の放送ストリームのフレームが前記メモリに最後に保存されたフレームであるか否かの同期化可否を判定することを特徴とする請求項１９に記載の放送番組保存機能を有する移動通信端末機。
【発明の詳細な説明】
【技術分野】
【０００１】
本発明は、放送受信機能を有する移動通信端末機に関し、より詳細には、移動通信端末機の放送番組保存方法及びこれを用いた移動通信端末機に関する。
【背景技術】
【０００２】
従来の放送受信機能を有する移動通信端末機では、使用者が録画機能を選択した場合に限って、特定時間に放送される番組を受信して録画を行っていた。この録画機能には、予約録画、現在受信中の放送番組のリアルタイム録画がある。
【０００３】
そして、使用者は、録画した放送番組の再生を選択するか、又は、現在の放送番組を受信中であればその受信動作を中止した後、録画した放送番組の再生を選択することで、録画した放送番組を視聴することができる。
【発明の開示】
【発明が解決しようとする課題】
【０００４】
しかしながら、このような従来技術の放送受信機能を有する移動通信端末機において、放送番組の受信中に録画した放送番組を視聴するには、視聴中の放送番組の受信動作を中止しなければならないという操作上の煩雑さがあり、録画した放送番組を視聴する場合には現在放送中の放送番組を録画することができなかった。すなわち、従来技術による移動通信端末機は、使用者が放送中の放送番組を視聴している場合には、過去の放送番組を使用者に提供することができず、使用者が過去の放送番組を視聴している場合には、放送中の放送番組を録画して提供することができなかった。
【０００５】
また、従来の放送受信機能を有する移動通信端末機は、録画した放送番組の検索を容易にするメモリ空間の活用を全く考慮しないで、放送番組を録画する構成であった。
【０００６】
従って、本発明は上記の問題を解決するためになされたものであり、その目的は、現在受信中の放送番組の視聴中に、既に保存され又は録画された放送番組を再生できるようにする放送番組の保存方法及びこれを用いた移動通信端末機を提供することにある。
【０００７】
また、本発明は、放送番組を保存または録画する場合に、メモリ空間を効率的に活用できる放送番組の保存方法及びこれを用いた移動通信端末機を提供することを目的とする。
【課題を解決するための手段】
【０００８】
上記目的を達成するための本発明に係る移動通信端末機の放送番組保存方法は、現在受信中の放送ストリームを、複数のタイムセクションのうち少なくとも一つのタイムセクションに割り当てて保存する割り当て及び保存段階と、前記受信中の放送ストリームを前記少なくとも一つのタイムセクションに割り当てて保存している時に、前記複数のタイムセクションから少なくとも一つのタイムセクションが選択されると、該選択されたタイムセクションに割り当てられて保存された放送ストリームを再生する再生段階と、を含んで構成されたことを特徴とする。
【０００９】
前記割り当て及び保存段階は、前記放送フレームを所定の時間間隔で前記タイムセクションに割り当てて保存するとよく、前記割り当て及び保存段階は、前記放送フレームを所定数のフレーム間隔で前記タイムセクションに割り当てて保存するようにしてもよい。
【００１０】
また、本発明に係る移動通信端末機の放送番組保存方法は、前記複数のタイムセクションを識別するインデックスを各タイムセクションに設定する段階をさらに含んで構成されたことを特徴とする。
【００１１】
さらに、本発明に係る移動通信端末機の放送番組保存方法は、放送番組の受信中に、前記複数のタイムセクションに保存された各放送ストリームを検索又は再生するか、または、前記複数のタイムセクションに保存されたいずれかの放送ストリームの再生中に、他の放送ストリーム又は受信中の放送ストリームを検索又は再生するタイムシフティングモードを実行する段階をさらに含んで構成されたことを特徴とする。
【００１２】
さらにまた、本発明に係る移動通信端末機の放送番組保存方法は、前記再生段階の遂行中に、使用者によって他のタイムセクションが選択され又は受信中の放送ストリームの再生が選択される段階をさらに含んで構成されたことを特徴とする。
【００１３】
さらにまた、本発明に係る移動通信端末機の放送番組保存方法は、前記割り当て及び保存段階の遂行前に、受信する放送ストリームを保存する保存空間があるか否かを確認する確認段階と、前記確認の結果、前記受信する放送ストリームを保存する空間がないと、前記複数のタイムセクションに保存された放送ストリームのうち少なくとも一つのタイムセクションに保存された放送ストリームを保存時間順に削除する段階と、をさらに含んで構成されたことを特徴とする。
【００１４】
前記タイムセクションに割り当てられて保存された放送ストリームは、複数のフレームを含んで構成され、前記複数のフレームのうち最前及び最後のフレームは、Ｉ（intra-coded images）−フレームであり、残りのフレームは、Ｐ（Predictive-coded images）−フレームであることを特徴とする。
【００１５】
さらにまた、本発明に係る移動通信端末機の放送番組保存方法は、前記再生段階の遂行中に、再生中の放送ストリームと受信中の放送ストリームとの同期化可否を判定する判定段階と、前記判定段階で同期化されると判定されると、前記受信中の放送ストリームを再生する段階と、をさらに含んで構成されたことを特徴とする。前記判定段階は、前記再生中の放送ストリームのフレームが最も最後に保存されたフレームであるか否かを判定するとよい。
【００１６】
また、上記目的を達成するための本発明に係る放送番組保存機能を有する移動通信端末機は、放送番組を構成する放送ストリームを受信する放送受信モジュールと、前記放送受信モジュールを通して受信する放送ストリームを複数のタイムセクションのうち少なくとも一つのタイムセクションに割り当てて保存するメモリと、前記複数のタイムセクションのうち少なくとも一つのタイムセクションを選択する選択信号を発生する入力部と、前記選択信号によって選択されたタイムセクションに保存された放送ストリームを再生する制御部と、を含んで構成されたことを特徴とする。
【００１７】
前記メモリは、前記放送ストリームを所定の時間間隔で前記タイムセクションに割り当てて保存するとよく、前記メモリは、前記放送ストリームを所定数のフレーム間隔で前記タイムセクションに割り当てて保存するようにしてもよい。
【００１８】
前記複数のタイムセクションには、それぞれを識別するインデックスが設定されるとよい。
【００１９】
前記入力部は、タイムシフティングモードを実行するタイムシフティングモード実行信号を発生するとよい。
【００２０】
前記入力部は、前記保存された放送ストリームが再生中の場合に、他のタイムセクションの選択信号または受信中の放送ストリームの再生信号を使用者の入力に応じて発生することを特徴とする。
【００２１】
前記制御部は、前記放送ストリームを保存する保存空間がない場合、前記複数のタイムセクションのうち少なくとも一つのタイムセクションに割り当てられて保存された放送ストリームを保存時間順に削除することを特徴とする。
【００２２】
前記タイムセクションに保存された放送ストリームは、複数のフレームを含んで構成され、前記複数のフレームのうち最前及び最後のフレームは、Ｉ（intra-coded images）−フレームであり、残りのフレームは、Ｐ（Predictive-coded images）−フレームであるとよい。
【００２３】
前記制御部は、前記再生中の放送ストリームと受信中の放送ストリームとが同期化された場合、前記受信中の放送ストリームを再生することを特徴とする。また、前記制御部は、前記再生中の放送ストリームのフレームが前記メモリに最後に保存されたフレームであるか否かの同期化可否を判定することを特徴とする。
【発明の効果】
【００２４】
本発明によれば、放送番組（放送ストリーム）を視聴と同時にリアルタイムで保存（録画）することができ、この保存を遂行したままで、既に保存してある他の放送ストリームを再生することができる。従って、使用者は、放送番組を視聴しなくても受信中の放送ストリームを保存することができると共に、既に保存した放送ストリームを再生することができるので、視聴中の放送番組の受信動作を一旦中止しなければ保存した放送ストリームを再生できなかった操作上の煩雑さを解消することができるようになる。
【００２５】
また、メモリ全容量を複数のタイムセクション（time section）に分けて管理するので、メモリ容量を効率的に管理できる。
【００２６】
さらに、複数のタイムセクションに、それぞれを区別するためのインデックスを設定するので、再生しようとするタイムセクションを容易に検索して選択することができる。
【発明を実施するための最良の形態】
【００２７】
以下、本発明の好適な実施形態を添付図面に基づいて詳細に説明する。図１は、本発明の一実施形態に係る放送番組の保存機能を有する移動通信端末機のブロック図である。
【００２８】
図１に示すように、移動通信端末機は、放送受信モジュール１１０、入力部１２０、メモリ１３０、制御部１４０及びディスプレイ１５０を含んで構成される。放送受信モジュール１１０は、放送網を通して、放送番組及び放送番組に関連するデータを受信する。一般的に、放送網は、ＤＭＢ（digital multimedia broadcasting）、ＤＶＢ−Ｈ（digital video broadcasting-handheld）、メディアＦＬＯ（forward link only）などのデジタル放送規格による放送網を意味する。また、放送受信モジュール１１０は、ストリーム形式の放送番組を受信する。
【００２９】
入力部１２０は、使用者からの入力に従った信号を発生する。
【００３０】
メモリ１３０は、入出力される全データを保存するだけでなく、移動通信端末機の機能及び動作を実現するための各種プログラムも保存する。特に、本実施形態において、メモリ１３０は、放送受信モジュール１１０を通して受信する放送ストリームを、複数のタイムセクション（time section）のうち制御部１４０によって割り当てられた少なくとも一つのタイムセクションに保存する。複数のタイムセクションとは、メモリ１３０の全保存空間を所定の基準によって分割した分割保存空間を意味する。
【００３１】
例えば、メモリ１３０は、受信する放送ストリームを、割り当てられたタイムセクションに所定の時間間隔で保存する。また、メモリ１３０は、受信する放送ストリームを、割り当てられたタイムセクションに所定数のフレーム間隔で保存する。この場合、複数のタイムセクションには、それぞれのタイムセクションを識別するためのインデックスが設定される。
【００３２】
また、割り当てられたタイムセクションに保存された放送ストリームは、複数のフレームを含んで構成されている。任意のタイムセクションに保存された放送ストリームを構成する複数のフレームは、図４に示すように、最前と最後のフレームがＩ（intra-coded images）−フレームであり、残りのフレームがＰ（predictive-coded images）−フレームである。
【００３３】
本実施形態において、入力部１２０は、使用者の入力に応じてタイムシフティングモードを実行させる実行信号を発生する。ここで、タイムシフティングモードとは、使用者が現在の放送番組を視聴中に、移動通信端末機に保存（録画）された過去の放送ストリームを検索又は再生するか、または、過去の放送ストリームの再生中に、過去の他の放送ストリームや受信中の放送ストリームを検索又は再生するためのモードを意味する。制御部１４０は、使用者が入力したタイムシフティングモード実行信号に基づいて、タイムシフティングモードを実行可能なように移動通信端末機の動作を制御する。
【００３４】
入力部１２０は、移動通信端末機が現在の放送番組を受信中にタイムシフティングモードに移行した後、使用者の入力に応じて複数のタイムセクションのうち少なくとも一つのタイムセクションを選択する選択信号を発生する。また、入力部１２０は、移動通信端末機が保存された放送ストリームを再生中にタイムシフティングモードに移行した後、使用者の入力に応じて他のタイムセクションを選択する選択信号又は受信中の放送ストリームを再生する再生信号を発生する。
【００３５】
このとき、移動通信端末機は、ディスプレイ１５０を通して複数のタイムセクションについての情報や現在受信中の放送ストリームの情報を表示する。使用者は、表示された情報に基づいて、再生を望む放送ストリームが保存されたタイムセクションや現在受信中の放送ストリームを選択する。情報は、各タイムセクションに保存された放送フレームにおいて最初に位置するフレームまたは各タイムセクションに保存された放送ストリームの受信時間などである。
【００３６】
タイムセクションの選択信号は、例えば、入力部１２０が提供する巻き戻しキーを使用者が操作するこによって発生する。使用者は、巻き戻しキーを操作して、所望のタイムセクションを選択する。本実施形態では、巻き戻しキーが所定時間以上、押されると、入力部１２０は、最初に保存された放送ストリームが存在するタイムセクションを選択する選択信号を発生する。また、巻き戻しキーが１回押されると、入力部１２０は、直前に保存された放送ストリームが存在するタイムセクションを選択する選択信号を発生する。さらに、巻き戻しキーが連続して３回押されると、入力部１２０は、３つ前に保存された放送ストリームが存在するタイムセクションを選択する選択信号を発生する。
【００３７】
また、タイムセクションの選択信号は、例えば、入力部１２０が提供する早送りキーを使用者が操作することによって発生する。使用者は、早送りキーを操作して、所望のタイムセクションを選択する。本実施形態では、早送りキーが所定時間以上、押されると、入力部１２０は、最新に保存された放送ストリームが存在するタイムセクションを選択する選択信号を発生する。また、早送りキーが１回押されると、入力部１２０は、現在再生中の放送ストリームを保存しているタイムセクションの次のタイムセクションを選択する選択信号を発生する。さらに、早送りキーが３回押されると、入力部１２０は、現在再生中の放送ストリームを保存しているタイムセクションから３番目に位置するタイムセクションを選択する選択信号を発生する。
【００３８】
さらに、入力部１２０は、使用者の入力に応じて、例えば、入力部１２０の再生キーを押すことにより、受信中の放送ストリームの再生を選択する再生信号を発生する。
【００３９】
また、入力部１２０は、使用者の入力に応じて複数のタイムセクションのうち繰り返し（リピート）再生させる放送ストリームが保存されたタイムセクションを選択する選択信号を発生する。このとき、繰り返し再生は、タイムセクション単位又は放送ストリームのフレーム単位の繰り返しを選択することができる。
【００４０】
制御部１４０は、移動通信端末機の全般的な動作を制御する。特に、本実施形態において、制御部１４０は、受信する放送ストリームを保存する前に、メモリ１３０に受信する放送ストリームを保存する保存空間があるか否かを確認する。その結果、保存空間がないことを確認すると、制御部１４０は、メモリ１３０の複数のタイムセクションにそれぞれ保存された放送ストリームを、その保存時間の古い順に削除する。
【００４１】
また、本実施形態では、制御部１４０は、入力部１２０から受信した選択信号に従ってタイムセクションに保存された放送ストリームを再生する。例えば、制御部１４０は、保存された放送ストリームを再生するにおいて、選択されたタイムセクションに保存された放送ストリームのみを再生するだけでなく、選択されたタイムセクションに保存された放送ストリームから、それ以降のタイムセクションに保存された放送ストリームを順次再生することもできる。
【００４２】
制御部１４０は、使用者の入力に応じて入力部１２０から再生中止信号を受信する。また、再生中の放送ストリームと現在受信中の放送ストリームとが同期化された場合、制御部１４０は、保存された放送ストリームの再生を中止する。そして、制御部１４０は、再生の中止と共に、現在受信中の放送ストリームを再生する。なお、再生の中止後に現在受信中の放送ストリームを再生するか否かは、使用者によって適宜選択される。
【００４３】
この場合、制御部１４０は、再生中の放送ストリームのフレームがメモリ１３０の最後に保存されたフレームであるか否かを判定する。その結果、最後に保存されたフレームであると判定すると、制御部１４０は、再生中の放送フレームと受信中の放送フレームとが同期化されたか否かを判定する。そして、同期化されたと判定すると、制御部１４０は、現在受信中の放送フレームを再生する。
【００４４】
ディスプレイ１５０は、移動通信端末機の状態情報及び移動通信端末機に保存された多様な情報を表示する。特に、本実施形態において、ディスプレイ１５０は、制御部１４０の制御信号によって、現在受信中の放送ストリームを表示したり、選択されたタイムセクションに保存された放送ストリームを表示する。
【００４５】
以下、図２に基づいて、本発明の一実施形態に係る移動通信端末機の放送番組保存方法を詳細に説明する。
【００４６】
移動通信端末機は、放送網を通して、ストリーム形式で放送番組を受信する（Ｓ２０１）。このとき、放送番組は、リアルタイムで伝送される放送ストリームで構成される。放送網は、ＤＭＢ、ＤＶＢ−Ｈ、メディアＦＬＯなどのデジタル放送規格による放送網を意味する。
【００４７】
移動通信端末機は、受信した放送ストリームを再生する（Ｓ２０３）。つまり、移動通信端末機は、現在受信している放送ストリームを表示するようになる。
【００４８】
次に、使用者の入力によってタイムシフティングモードが実行されると、移動通信端末機は、タイムシフティングモードに移行する（Ｓ２０５）。そして、移動通信端末機は、タイムシフティングモードに移行すると、移動通信端末機の保存空間に現在受信している放送ストリームを保存する空間が存在するか否かを判定する（Ｓ２０７）。
【００４９】
その結果、保存する空間がないことを確認すると（Ｎｏ）、移動通信端末機は、少なくとも一つのタイムセクションに保存された放送ストリームを保存時間順に削除する（Ｓ２０９）。すなわち、移動通信端末機は、保存された時間の古い順に、複数のタイムセクションのうち少なくとも一つのタイムセクションに保存された放送ストリームを順次削除する。
【００５０】
一方、保存する空間があることを確認すると（Ｙｅｓ）、移動通信端末機は、受信する放送ストリームを、複数のタイムセクションのうち少なくとも一つのタイムセクションに割り当てて保存する（Ｓ２１１）。
【００５１】
以下、タイムセクションについて詳細に説明する。複数のタイムセクションとは、前述したように、移動通信端末機の全体保存空間を所定の基準によって分割した分割保存空間を意味する。例えば、移動通信端末機は、受信する放送ストリームを所定の時間間隔で所定のタイムセクションに割り当てて保存する。また、移動通信端末機は、受信する放送ストリームを所定数のフレーム間隔で所定のタイムセクションに割り当てて保存する。複数のタイムセクションには、それぞれのタイムセクションを識別するためのインデックスが設定される（Ｓ２１３）。したがって、使用者は、設定されたインデックスを用いて、タイムセクションの検索及び選択を簡易に行うことができようになる。
【００５２】
タイムセクションに保存された放送ストリームは、複数のフレームを含んで構成されている。例えば、任意のタイムセクションにそれぞれ割り当てられて保存された複数のフレームは、図４に示すように、最前と最後のフレームがＩ−フレームであり、残りのフレームがＰ−フレームである。
【００５３】
移動通信端末機は、使用者が入力した選択信号に応じて、複数のタイムセクションから少なくとも一つのタイムセクションを選択する（Ｓ２１５）。例えば、使用者は、ディスプレイ１５０に複数のタイムセクションの情報が表示されると、この表示された情報に基づいて、再生を望む放送ストリームが保存されたタイムセクションを選択する。
【００５４】
その後、移動通信端末機は、選択されたタイムセクションに保存された放送ストリームを再生する（Ｓ２１７）。そして、移動通信端末機は、ディスプレイ１５０に放送ストリームを表示する。ここで、移動通信端末機は、保存された放送ストリームを再生するにおいて、選択されたタイムセクションに保存された放送ストリームのみを再生するだけでなく、選択されたタイムセクションに保存された放送ストリームから、それ以降のタイムセクションに保存された放送ストリームを順次再生することができる。
【００５５】
移動通信端末機は、Ｓ２１７段階の遂行中に、他のタイムセクションを選択する選択信号が発生したか否かを判定する（Ｓ２１９）。その結果、選択信号が発生したと判定すると（Ｙｅｓ）、移動通信端末機は、Ｓ２１９段階で選択されたタイムセクションに保存された放送ストリームを再生する（Ｓ２１７）。一方、選択信号が発生していないと判定すると（Ｎｏ）、移動通信端末機は、現在再生中の放送ストリームと受信中の放送ストリームとの同期化可否を判定する（Ｓ２２３）。
【００５６】
また、移動通信端末機は、Ｓ２１７段階の遂行中に、受信中の放送ストリームを再生する再生信号が発生したか否かを判定する（Ｓ２２１）。その結果、再生信号が発生したと判定すると（Ｙｅｓ）、移動通信端末機は、所定のタイムセクションに保存された放送ストリームの再生を中止し、現在受信中の放送ストリームを再生する（Ｓ２０３）。一方、再生信号が発生していないと判定すると（Ｎｏ）、移動通信端末機は、現在再生中の放送ストリームと受信中の放送ストリームとの同期化可否を判定する（Ｓ２２３）。
【００５７】
例えば、移動通信端末機は、同期化可否を判定するにおいて、再生中の放送ストリームのフレームが最も最後に保存されたフレームであるか否かを判定する。その結果、最も最後に保存されたフレームであると判定すると、移動通信端末機は、再生中の放送フレームと受信中の放送フレームとが同期化されたと判定する。
【００５８】
以下、図３に基づいて、本発明の一実施形態に係る複数のタイムセクションを含んで構成されたメモリ全体の容量構成を説明する。
図３に示すように、メモリ全体の容量は、複数のタイムセクション（Time Section_0，Time Section_1，Time Section_2，…，TimeSection_(N-1)）に分割されて管理される。したがって、受信する放送ストリームは、その受信順によって、複数のタイムセクションのうちの少なくとも一つのタイムセクションに割り当てられて順次保存される。
【００５９】
メモリ全体の容量は、所定の時間間隔や所定数のフレーム間隔で、複数のタイムセクションに分割される。例えば、メモリ全体の容量が一杯になった場合、最前に位置するタイムセクションであるTime Section_0に割り当てられて保存された放送ストリームから古い保存順に順次削除される。
【００６０】
以下、図５に基づいて、本発明の一実施形態に係るタイムシフティングモードによる放送ストリームの検索及び再生動作を詳細に説明する。
図５に示すように、メモリ全体の容量は、複数のタイムセクション（Time Section_0，Time Section_1，Time Section_2，…，Time Section_(N-1)）に分割されて管理される。
【００６１】
移動通信端末機が、使用者の入力に応じてタイムシフティングモードに移行した場合、使用者は、再生（ａ）、早送り（ｂ）、巻き戻し（ｃ）、繰り返し（リピート）再生（ｄ）のうち少なくとも一つを選択して、再生しようとする放送ストリームを選択する。移動通信端末機は、再生（ａ）、早送り（ｂ）、巻き戻し（ｃ）、繰り返し再生（ｄ）を使用者が選択するための使用者インターフェースを備えている。
【００６２】
移動通信端末機は、受信中の放送ストリームの再生中に巻き戻し（ｃ）が選択されると、複数のタイムセクションのうちから任意のタイムセクションに保存された放送ストリームを再生する。
【００６３】
例えば、移動通信端末機は、巻き戻し（ｃ）が所定時間以上、押された場合、最前に保存されたタイムセクションTime Section_0から各放送ストリームを順次再生する。また、巻き戻し（ｃ）が１回押された場合、直前に保存されたタイムセクションTime Section_(N-1)の放送ストリームを再生する。
【００６４】
また、移動通信端末機は、所定のタイムセクションに保存された放送ストリームの再生中に再生（ａ）が選択された場合、保存された放送ストリームの再生を中止し、現在受信中の放送ストリームを再生する。
【００６５】
また、移動通信端末機は、所定のタイムセクションに保存された放送ストリームの再生中に早送り（ｂ）が選択された場合、現在位置しているタイムセクションよりも後に位置するタイムセクションに保存された放送ストリームを再生する。
【００６６】
例えば、移動通信端末機は、早送り（ｂ）が所定時間以上、押された場合、最新に保存されたタイムセクションTime Section_0の放送ストリームを再生する。また、早送り（ｂ）が１回押される場合、現在再生中の放送ストリームが属するタイムセクションの次のタイムセクションに保存された放送ストリームを再生する。
【００６７】
また、移動通信端末機は、所定のタイムセクションに保存された放送ストリームの再生中に繰り返し再生（ｄ）が選択された場合、所定のタイムセクションの間の放送ストリームを繰り返して再生する。例えば、繰り返し再生をしようとするタイムセクションの開始時点で繰り返し再生（ｄ）が１回押され、繰り返し再生をしようとするタイムセクションの終了時点で繰り返し再生（ｄ）が再び１回押されることで、繰り返し再生セクションが設定される。この繰り返し再生セクションは、１つのタイムセクションを対象とするだけでなく、複数のタイムセクションを対象にすることもできる。
【００６８】
以上説明した本発明は、本発明の属する技術分野で通常の知識を有する者にとって、本発明の技術的思想から逸脱しない範囲内で多様な置換、変形及び変更が可能であるので、上述した実施形態及び添付の図面によって限定されるものではない。
【図面の簡単な説明】
【００６９】
【図１】本発明の一実施形態に係る放送番組保存機能を有する移動通信端末機のブロック図である。
【図２】本発明の一実施形態に係る移動通信端末機の放送番組保存方法の一実施形態を示すフローチャートである。
【図３】本発明の一実施形態に係る複数のタイムセクションから構成された全体メモリの構成図である。
【図４】本発明の一実施形態に係る任意のタイムセクションに保存された放送ストリームの構成図である。
【図５】本発明の一実施形態に係るタイムシフティングモードによる放送ストリームの検索及び再生動作を示す例示図である。
【符号の説明】
【００７０】
１１０  放送受信モジュール
１２０  入力部
１３０  メモリ
１４０  制御部
１５０  ディスプレイ
【図１】
2007129714.tif 000003
【図２】
2007129714.tif 000004
【図３】
2007129714.tif 000005
【図４】
2007129714.tif 000006
【図５】
2007129714.tif 000007